(57)【特許請求の範囲】
【請求項１】
物体側から像側へ順に、
最も物体側に負レンズを含み、２枚以上の負レンズと１枚以上の正レンズとを含み、変倍のためには移動せず、負の屈折力を有する第１レンズ群と、
変倍のために光軸上を移動し、正の屈折力を有する第２レンズ群と、
変倍のために光軸上を移動する２以上のレンズ群を含む、複数のレンズ群と、
正レンズと負レンズと開口絞りとを含み、変倍のためには移動せず、正の屈折力を有する最終レンズ群と、
を有し、
隣接するレンズ群の間隔は、いずれも変倍のために変化し、
前記複数のレンズ群は、最も物体側に正の屈折力を有する第３レンズ群を含み、
前記第１レンズ群の焦点距離をｆ１とし、前記最終レンズ群の焦点距離をｆｎとし、前記第２レンズ群の広角端での位置と望遠端での位置との間の差をｍ２とし、前記複数のレンズ群のうち広角端での位置と望遠端での位置との間の差が最も大きいレンズ群の当該差をｍｎとして、
０＜｜ｆ１／ｆｎ｜＜１．５
０．８＜｜ｍ２／ｍｎ｜＜３．０
なる条件式を満たすことを特徴とするズームレンズ。
【請求項２】
前記第１レンズ群は、合焦のために光軸上を移動するレンズを含むことを特徴とする請求項１に記載のズームレンズ。
【請求項３】
前記第１レンズ群は、合焦のためには移動しない負の屈折力を有する第１１部分レンズ群と、合焦のために光軸上を移動する正または負の屈折力を有する第１２部分レンズ群とからなり、前記第１１部分レンズ群の焦点距離をｆ１１とし、前記第１２部分レンズ群の焦点距離をｆ１２として、
０＜｜ｆ１１／ｆ１２｜＜０．６
なる条件式を満たすことを特徴とする請求項１または請求項２に記載のズームレンズ。
【請求項４】
前記第１レンズ群は、合焦のためには移動しない負の屈折力を有する第１１部分レンズ群と、合焦のために光軸上を移動する正または負の屈折力を有する第１２部分レンズ群と、正または負の屈折力を有する第１３部分レンズ群とからなり、前記第１１部分レンズ群の焦点距離をｆ１１として、
１．０＜ｆ１１／ｆ１＜３．０
なる条件式を満たすことを特徴とする請求項１または請求項２に記載のズームレンズ。
【請求項５】
前記第２レンズ群の焦点距離をｆ２とし、前記第３レンズ群の焦点距離をｆ３として、
−１．０＜ｆ１×（ｆ２＋ｆ３）／（ｆ２×ｆ３）＜−０．３
なる条件式を満たすことを特徴とする請求項１ないし請求項４のうちいずれか１項に記載のズームレンズ。
【請求項６】
前記複数のレンズ群は、物体側から像側へ順に、前記第３レンズ群と負の屈折力を有する第４レンズ群とからなり、無限遠から光束が入射する場合の広角端および望遠端での前記第２レンズ群の横倍率をそれぞれβ２ｗおよびβ２ｔとし、前記場合の広角端および望遠端での前記第３レンズ群の横倍率をそれぞれβ３ｗおよびβ３ｔとし、広角端および望遠端での前記ズームレンズの焦点距離をそれぞれｆｗおよびｆｔとして、
０．５＜（ｆｗ×β２ｔ×β３ｔ）／（ｆｔ×β２ｗ×β３ｗ）＜１．０
なる条件式を満たすことを特徴とする請求項５に記載のズームレンズ。
【請求項７】
前記第４レンズ群の焦点距離をｆ４として、
０．４＜ｆ１／ｆ４＜１．２
なる条件式を満たすことを特徴とする請求項６に記載のズームレンズ。
【請求項８】
物体側から像側へ順に、
最も物体側に負レンズを含み、２枚以上の負レンズと１枚以上の正レンズとを含み、変倍のためには移動せず、負の屈折力を有する第１レンズ群と、
変倍のために光軸上を移動し、正の屈折力を有する第２レンズ群と、
変倍のために光軸上を移動する２以上のレンズ群を含む、複数のレンズ群と、
正レンズと負レンズと開口絞りとを含み、変倍のためには移動せず、正の屈折力を有する最終レンズ群と、
を有し、
隣接するレンズ群の間隔は、いずれも変倍のために変化し、
前記第１レンズ群は、合焦のためには移動しない負の屈折力を有する第１１部分レンズ群と、合焦のために光軸上を移動する正または負の屈折力を有する第１２部分レンズ群と、正または負の屈折力を有する第１３部分レンズ群とからなり、
前記第１レンズ群の焦点距離をｆ１とし、前記最終レンズ群の焦点距離をｆｎとし、前記第２レンズ群の広角端での位置と望遠端での位置との間の差をｍ２とし、前記複数のレンズ群のうち広角端での位置と望遠端での位置との間の差が最も大きいレンズ群の当該差をｍｎとし、前記第１１部分レンズ群の焦点距離をｆ１１として、
０＜｜ｆ１／ｆｎ｜＜１．５
０．８＜｜ｍ２／ｍｎ｜＜３．０
１．０＜ｆ１１／ｆ１＜３．０
なる条件式を満たすことを特徴とするズームレンズ。
【請求項９】
前記複数のレンズ群は、最も物体側に正の屈折力を有する第３レンズ群を含み、前記第２レンズ群の焦点距離をｆ２とし、前記第３レンズ群の焦点距離をｆ３として、
−１．０＜ｆ１×（ｆ２＋ｆ３）／（ｆ２×ｆ３）＜−０．３
なる条件式を満たすことを特徴とする請求項８に記載のズームレンズ。
【請求項１０】
前記複数のレンズ群は、最も物体側に負の屈折力を有する第３レンズ群を含み、前記第２レンズ群の焦点距離をｆ２として、
−１．０＜ｆ１／ｆ２＜−０．３
なる条件式を満たすことを特徴とする請求項８に記載のズームレンズ。
【請求項１１】
請求項１ないし請求項１０のうちいずれか１項に記載のズームレンズと、
前記ズームレンズにより形成された像を受光する撮像素子と、
を有することを特徴とする撮像装置。
【発明の詳細な説明】
【技術分野】
【０００１】
本発明は、ズームレンズおよび撮像装置に関するものである。
【背景技術】
【０００２】
近年、テレビカメラや映画用カメラ、写真用カメラ等の撮像装置には、小型軽量で、広画角かつ高変倍比で高い光学性能を有したズームレンズが要望されている。特に、プロフェッショナルの動画撮影システムとしてのテレビ・映画用カメラに用いられているＣＣＤやＣＭＯＳ等の撮像デバイスは、撮像範囲全体が略均一の解像力を有している。そのため、これを用いるズームレンズに対しては、画面中心から画面周辺まで解像力が略均一であることが要求されている。また、広角端の焦点距離が短い広角レンズを用いると、広大な範囲を撮影することができ、遠近感の強調が可能となる。その撮影効果を利用したいユーザーからは、より広角で高変倍比、小型軽量、高性能の広角ズームレンズの要望が高い。一方、テレビ撮影・映画撮影では、高精度な光量調節が求められており、絞り環の操作に対して、メカニカルに絞り径を変化させるマニュアル絞りのニーズが高い。
【０００３】
広角ズームレンズとして、最も物体側に負の屈折力を有するレンズ群を配置し、全体として４つ以上のレンズ群により構成されるネガティブリード型のズームレンズが知られている。例えば、特許文献１では、変倍比１．２程度、広角端の画角１００°〜１１０°程度であり、物体側から順に、負の第１レンズ群、正の第２レンズ群、正の第３レンズ群、後群を有したズームレンズが開示されている。第１レンズ群は変倍のためには移動せず、少なくとも第２レンズ群、第３レンズ群が変倍に際して移動する構成となっている。また、特許文献２では、変倍比１．２程度、広角端の画角５０°程度であり、物体側から順に、負の第１レンズ群、正の第２レンズ群、正の第３レンズ群、負の第４レンズ群、正の第５レンズ群から構成されるズームレンズが開示されている。
【先行技術文献】
【特許文献】
【０００４】
【特許文献１】特開２００８−３０４７６５号公報
【特許文献２】特開昭６２−１５３９１３号公報
【発明の概要】
【発明が解決しようとする課題】
【０００５】
しかしながら、特許文献１に開示されているズームレンズでは、各レンズ群の屈折力やレンズ構成が更なる広角化と高倍率化の両立に対して不利であり、広角化に伴うレンズ径の大型化や高倍率化に伴う全長の増大を抑制させることが困難となる。特に、広角端の画角が７０度を超え、変倍比が２倍を超えてくると、レンズ径の大型化と変倍群の移動量の増加の傾向が顕著となる。
【０００６】
また、特許文献２に開示されているズームレンズでは、変倍に際して移動するレンズ群の間に開口絞りが構成されているため、所望のＦナンバーを得るためには、変倍に応じて絞り径を変化させる必要があり、マニュアル絞りに適したレンズ構成となっていない。
【０００７】
本発明は、例えば、広画角、高変倍比、小型軽量、全ズーム範囲にわたる高い光学性能、およびマニュアル絞りの点で有利なズームレンズの提供を目的とする。
【課題を解決するための手段】
【０００８】
上記目的を達成するために、本発明のズームレンズ及びそれを有する撮像装置は、物体側から像側へ順に、最も物体側に負レンズを含み、２枚以上の負レンズと１枚以上の正レンズとを含み、変倍のためには移動せず、負の屈折力を有する第１レンズ群と、変倍のために光軸上を移動し、正の屈折力を有する第２レンズ群と、変倍のために光軸上を移動する２以上のレンズ群を含む、複数のレンズ群と、正レンズと負レンズと開口絞りとを含み、変倍のためには移動せず、正の屈折力を有する最終レンズ群と、を有し、隣接するレンズ群の間隔は、いずれも変倍のために変化し、前記複数のレンズ群は、最も物体側に正の屈折力を有する第３レンズ群を含み、前記第１レンズ群の焦点距離をｆ１とし、前記最終レンズ群の焦点距離をｆｎとし、前記第２レンズ群の広角端での位置と望遠端での位置との間の差をｍ２とし、前記複数のレンズ群のうち広角端での位置と望遠端での位置との間の差が最も大きいレンズ群の当該差をｍｎとして、
０＜｜ｆ１／ｆｎ｜＜１．５
０．８＜｜ｍ２／ｍｎ｜＜３．０
なる条件式を満たすことを特徴とする。
【発明の効果】
【０００９】
本発明によれば、例えば、広画角、高変倍比、小型軽量、全ズーム範囲にわたる高い光学性能、およびマニュアル絞りの点で有利なズームレンズの提供が可能となる。
【図面の簡単な説明】
【００１０】
【図１】数値実施例１の広角端において無限遠合焦時のレンズ断面図
【図２】数値実施例１の広角端（ａ）、ズーム中間（ｂ）、望遠端（ｃ）で無限遠合焦時の収差図
【図３】数値実施例２の広角端において無限遠合焦時のレンズ断面図
【図４】数値実施例２の広角端（ａ）、ズーム中間（ｂ）、望遠端（ｃ）で無限遠合焦時の収差図
【図５】数値実施例３の広角端において無限遠合焦時のレンズ断面図
【図６】数値実施例３の広角端（ａ）、ズーム中間（ｂ）、望遠端（ｃ）で無限遠合焦時の収差図
【図７】数値実施例４の広角端において無限遠合焦時のレンズ断面図
【図８】数値実施例４の広角端（ａ）、ズーム中間（ｂ）、望遠端（ｃ）で無限遠合焦時の収差図
【図９】数値実施例５の広角端において無限遠合焦時のレンズ断面図
【図１０】数値実施例５の広角端（ａ）、ズーム中間（ｂ）、望遠端（ｃ）で無限遠合焦時の収差図
【図１１】数値実施例６の広角端において無限遠合焦時のレンズ断面図
【図１２】数値実施例６の広角端（ａ）、ズーム中間（ｂ）、望遠端（ｃ）で無限遠合焦時の収差図
【図１３】数値実施例７の広角端において無限遠合焦時のレンズ断面図
【図１４】数値実施例７の広角端（ａ）、ズーム中間（ｂ）、望遠端（ｃ）で無限遠合焦時の収差図
【図１５】数値実施例１のズームレンズの広角端（ａ）、ズーム中間（ｂ）、望遠端（ｃ）における光路図
【図１６】数値実施例１のズームレンズの広角端（ａ）、ズーム中間（ｂ）、望遠端（ｃ）における光路図
【図１７】本発明の撮像装置の要部概略図
【発明を実施するための形態】
【００１１】
以下に、本発明の好ましい実施の形態を、添付の図面に基づいて詳細に説明する。
まず、本発明のズームレンズの特徴について、各条件式に沿って説明する。本発明のズームレンズは、広画角、高変倍比、小型軽量で全ズーム範囲に渡り高い光学性能を有し、マニュアル絞り操作を達成するために、各レンズ群の焦点距離の比や変倍に際する移動量を規定することを特徴とする。
【００１２】
本発明のズームレンズ及びそれを有する撮像装置は、物体側から像側へ順に、負の屈折力を有する第１レンズ群、正の屈折力を有する第２レンズ群、２群以上のレンズ群を含む中レンズ群、正の屈折力を有する最終レンズ群を有する。前記第１レンズ群は変倍のためには移動せず、前記第２レンズ群は変倍に際して移動する。前記中レンズ群のうち、少なくとも２群以上のレンズ群は変倍に際して移動し、前記最終レンズ群は変倍のためには移動しない。最終レンズ群は、変倍に際して光軸方向に対して移動しない開口絞りを含む。前記第１レンズ群の最も物体側に負レンズが配置され、前記第１レンズ群は２枚以上の負レンズ、１枚以上の正レンズを有し、前記最終レンズ群は１枚以上の正レンズ、１枚以上の負レンズを有する。前記第１レンズ群の焦点距離をｆ１、最終レンズ群の焦点距離をｆｎ、第２レンズ群の広角端と望遠端における光軸上の位置の差をｍ２、前記中レンズ群で広角端と望遠端における光軸上の位置の差が最も大きいレンズ群の前記位置の差をｍｎとしたとき、
０＜｜ｆ１／ｆｎ｜＜１．５  ・・・（１）
０．８＜｜ｍ２／ｍｎ｜＜３．０  ・・・（２）
を満たしている。
【００１３】
本発明において、変倍のためには移動しない負の屈折力を有する第１レンズ群、変倍に際して移動する正の屈折力を有する第２レンズ群を有する構成とすることによる光学的作用に関して説明する。
【００１４】
図１５は、本発明の実施例１の広角端（ａ）、ズーム中間（ｂ）、望遠端（ｃ）における光路図を示している。Ｕ１〜Ｕ５は、それぞれ第１レンズ群〜第５レンズ群を表している。図１５からわかるように、本発明の実施例は、第１レンズ群と第２レンズ群との間隔は、広角端よりも望遠端の方が近づく軌跡となっている。広角端において、負の屈折力を有する第１レンズ群と正の屈折力を有する第２レンズ群が離れて配置されるため、入射瞳位置を物体側に配置することができる。そのため、広角化と小型軽量の両立に有利な構成となっている。
【００１５】
また、本発明では、正の屈折力を有する第２レンズ群、２群以上のレンズ群を含む中レンズ群で変倍系を構成している。広角端から望遠端への変倍に際して、第２レンズ群が物体側に移動し、第１レンズ群の像点に近づくことで増倍している。さらに、広角端から望遠端の変倍に際して、中レンズ群のうち少なくとも２群以上のレンズ群が移動することで、変倍による像面移動を補正しつつ変倍による収差変動を抑制し、高変倍比化と高い光学性能の両立を効果的に達成することが可能となる。
【００１６】
さらに、本発明では、変倍のためには移動しない最終レンズ群には、最も物体側または最終レンズ群内に、開口絞りが配置されている。この光学的作用に関して説明する。図１６は、本発明の実施例１の広角端（ａ）、ズーム中間（ｂ）、望遠端（ｃ）における光路図を示している。Ｕ１〜Ｕ５は、それぞれ第１レンズ群〜第５レンズ群を表している。本発明の実施例では、最終レンズ群は変倍のためには移動しないため、最終レンズの物点（中レンズ群の像点）は変倍に依らず変化しない。よって、最終レンズ群の最も物体側または最終レンズ群の中に開口絞りを配置することで、変倍に応じて絞り径を変化させることなく、所望のＦナンバーを達成するとことが可能となる。
【００１７】
さらに、第１レンズ群の最も物体側に負レンズが配置され、第１レンズ群は２枚以上の負レンズ、１枚以上の正レンズを有し、最終レンズ群は１枚以上の正レンズ、１枚以上の負レンズを有することを特徴としている。第１レンズ群は負の屈折力を有しているが、広角化のために、最も物体側には負レンズを配置し、第１レンズ群で発生する色収差を抑制するために、少なくとも２枚以上の負レンズと１枚以上の正レンズを備える。また、最終レンズ群は軸外光線が光軸から離れた位置を通過するため、特に広角端における倍率色収差を良好に補正するためには、１枚以上の正レンズ、１枚以上の負レンズを備える。
【００１８】
さらに、前述の（１）、（２）式を満たすことで、広画角、小型軽量で全ズーム範囲に渡り高い光学性能を効果的に達成することが可能となる。（１）式は、第１レンズ群の焦点距離と最終レンズ群の焦点距離の比を規定している。（１）式を満たすことで、ズームレンズの広角化と収差変動の補正の両立を達成している。ズームレンズの焦点距離は、第１レンズ群の焦点距離に第２レンズ群から最終レンズ群までの横倍率を掛け合わせた値となるため、広角化を達成するためには、第１レンズ群の焦点距離を適切に設定する必要がある。（１）式の上限の条件が満たされないと、第１レンズ群の屈折力が不足するため、広角化と小型軽量化の両立が困難となる。（１）式の下限の条件が満たされないと、第１レンズ群の屈折力が強くなり、変倍に伴う収差変動や合焦に伴う収差変動の補正が困難となる。更に好ましくは、（１）式は次の如く設定するのが良い。
０＜｜ｆ１／ｆｎ｜＜１．０  ・・・（１ａ）
【００１９】
また、（２）式は、広角端から望遠端への変倍における第２レンズ群の移動量と中レンズ群で最も移動量の大きいレンズ群の移動量の比を規定している。（２）式を満たすことで、小型軽量化と高い光学性能の両立が可能となる。ここで、図１５（ａ）、（ｂ）、（ｃ）の光路図において軸上マージナル光線に着目すると、第２レンズ群の広角端から望遠端への光線高の変動が大きい。そのため、収差を良好に補正する観点では、変倍における第２レンズ群の移動量を小さくすることが望ましい。一方、前述したように、広角化と小型軽量化の両立を達成するために、広角端において第１レンズ群に対して第２レンズ群を離して配置する必要があり、変倍において第２レンズ群の移動量を確保する必要がある。（２）式の上限が満たされないと、変倍における第２レンズ群の移動量が大きくなり、上記の理由からズーム全域で良好な光学性能を達成することが困難となる。（２）式の下限の条件が満たされないと、変倍における第２レンズ群の移動量が小さくなり、広角端において、第１レンズ群と第２レンズ群が近づいて配置されるため、広角化と小型軽量の両立が困難となる。更に好ましくは、（２）式は次の如く設定するのが良い。
１．０＜｜ｍ２／ｍｎ｜＜２．５  ・・・（２ａ）
【００２０】
更なる本発明のズームレンズの態様として、第１レンズ群は、フォーカシングの際に移動するレンズ群を含むことを特徴とする。第１レンズ群の一部でフォーカシングを行う構成とすることで、変倍に依らず、フォーカシングの繰り出し量を一定とすることができ、駆動機構の簡略化や、フォーカスレンズ群の小型化に有利な構成となる。
【００２１】
更なる本発明のズームレンズの態様として、第１レンズ群の構成および合焦に関する規定をしている。第１レンズ群は、合焦のためには移動しない負の屈折力を有する第１１レンズ群、合焦に際して移動する正または負の屈折力を有する第１２レンズ群から構成され、第１１レンズ群の焦点距離をｆ１１、第１２レンズ群の焦点距離をｆ１２としたとき、
０＜｜ｆ１１／ｆ１２｜＜０．６  ・・・（３）
を満たしている。（３）式は合焦時における第１２レンズ群の移動量の抑制と高い光学性能を達成するために規定している。（３）式の上限の条件が満たされないと、第１１レンズ群の屈折力が弱くなり、合焦時における第１２レンズ群の移動量が大きくなり、ズームレンズの小型軽量化に不利である。（３）式の下限の条件が満たされないと、第１１レンズ群の屈折力が強くなり、合焦に伴う収差変動の補正が困難となる。また、良好な光学性能を達成するために第１１レンズ群を構成するレンズ枚数を増やしてしまうと、ズームレンズの小型軽量化が困難となる。更に好ましくは、（３）式は次の如く設定するのが良い。
０．０２＜｜ｆ１１／ｆ１２｜＜０．５  ・・・（３ａ）
【００２２】
更なる本発明のズームレンズの態様として、第１レンズ群の構成および合焦に関する規定をしている。第１レンズ群は、合焦のためには移動しない負の屈折力を有する第１１レンズ群、合焦に際して移動する正または負の屈折力を有する第１２レンズ群、正または負の屈折力を有する第１３レンズ群から構成され、第１１レンズ群の焦点距離をｆ１１としたとき、
１．０＜ｆ１１／ｆ１＜３．０  ・・・（４）
を満たしている。（４）式は合焦時における第１２レンズ群の移動量の抑制と高い光学性能を達成するために規定している。（４）式の上限の条件が満たされないと、第１１レンズ群の屈折力が弱くなり、合焦時における第１２レンズ群の移動量が大きくなり、ズームレンズの小型軽量化に不利である。（４）式の下限の条件が満たされないと、第１１レンズ群の屈折力が強くなり、合焦に伴う収差変動の補正が困難となる。更に好ましくは、（４）式は次の如く設定するのが良い。
１．２＜ｆ１１／ｆ１＜２．５  ・・・（４ａ）
【００２３】
更なる本発明のズームレンズの態様として、中レンズ群の最も物体側のレンズ群である第３レンズ群は正の屈折力を有するレンズ群であり、第２レンズ群の焦点距離をｆ２、第３レンズ群の焦点距離をｆ３としたとき、
−１．０＜ｆ１×（ｆ２＋ｆ３）／（ｆ２×ｆ３）＜−０．３  ・・・（５）
を満たしている。（５）式は、第１レンズ群の焦点距離、第２レンズ群および第３レンズ群の焦点距離の比を規定している。（５）式の（ｆ２＋ｆ３）／（ｆ２×ｆ３）は、第２レンズ群と第３レンズ群の合成焦点距離に相当する数値である。（５）式を満たすことで、ズームレンズの広角化と収差変動の補正の両立を達成している。ズームレンズの焦点距離は、第１レンズ群の焦点距離に中レンズ群から最終レンズ群までの横倍率を掛け合わせた値となるため、広角化を達成するためには、第１レンズ群の焦点距離を適切に設定する必要がある。（５）式の上限の条件が満たされないと、第１レンズ群の屈折力が強くなり、変倍に伴う収差変動や合焦に伴う収差変動の補正が困難となる。（５）式の下限の条件が満たされないと、第１レンズ群の屈折力が不足するため、広角化と小型軽量化の両立が困難となる。また、第２レンズ群と第３レンズ群の合成焦点距離が短くなるため、変倍に伴う収差変動の補正が困難となる。更に好ましくは、（５）式は次の如く設定するのが良い。
−０．９＜ｆ１×（ｆ２＋ｆ３）／（ｆ２×ｆ３）＜−０．４  ・・・（５ａ）
【００２４】
更なる本発明のズームレンズの態様として、中レンズ群の最も物体側のレンズ群である第３レンズ群は負の屈折力を有するレンズ群であり、第２レンズ群の焦点距離をｆ２としたとき、
−１．０＜ｆ１／ｆ２＜−０．３  ・・・（６）
を満たしている。（６）式は、第１レンズ群の焦点距離、第２レンズ群の焦点距離の比を規定している。（６）式を満たすことで、ズームレンズの広角化と収差変動の補正の両立を達成している。ズームレンズの焦点距離は、第１レンズ群の焦点距離に中レンズ群から最終レンズ群までの横倍率を掛け合わせた値となるため、広角化を達成するためには、第１レンズ群の焦点距離を適切に設定する必要がある。（６）式の上限の条件が満たされないと、第１レンズ群の屈折力が強くなり、変倍に伴う収差変動や合焦に伴う収差変動の補正が困難となる。（６）式の下限の条件が満たされないと、第１レンズ群の屈折力が不足するため、広角化と小型軽量化の両立が困難となる。また、第２レンズ群の焦点距離が短くなるため、変倍に伴う収差変動の補正が困難となる。更に好ましくは、（６）式は次の如く設定するのが良い。
−０．９＜ｆ１／ｆ２＜−０．３５  ・・・（６ａ）
【００２５】
更なる本発明のズームレンズの態様として、中レンズ群は正の屈折力を有する第３レンズ群、負の屈折力を有する第４レンズ群で構成され、第２レンズ群と第３レンズ群の横倍率および広角端と望遠端の焦点距離の比を規定している。無限遠より光束が入射する際の広角端と望遠端における第２レンズ群の横倍率を各々β２ｗ、β２ｔ、第３レンズ群の横倍率を各々β３ｗ、β３ｔ、広角端と望遠端の焦点距離を各々ｆｗ、ｆｔとしたとき、
０．５＜（ｆｗ×β２ｔ×β３ｔ）／（ｆｔ×β２ｗ×β３ｗ）＜１．０
・・・（７）
を満たしている。（７）式を満たすことで、第２レンズ群と第３レンズ群が変倍に一定以上寄与する構成となり、広角化と高い光学性の両立に有利な構成となる。（７）式の上限が満たされないと、変倍による第２レンズ群と第３レンズ群の移動量が大きくなり、第２レンズ群と第３レンズ群を通る軸上マージナル光線の光線高が、広角端から望遠端への変倍で大きく変化する。そのため、変倍による球面収差や像面湾曲の変動を抑制することが困難となる。（７）式の下限が満たされないと、広角端において第１レンズ群と第２レンズ群及び第３レンズ群の間隔が短くなり、第２レンズ群及び第３レンズ群の横倍率を小さくすることが難しくなるため、広角化が困難となる。更に好ましくは、（７）式は次の如く設定するのが良い。
０．６０＜（ｆｗ×β２ｔ×β３ｔ）／（ｆｔ×β２ｗ×β３ｗ）＜０．８５
・・・（７ａ）
【００２６】
また、第１レンズ群、第４レンズ群の焦点距離をｆ１、ｆ４としたとき、
０．４＜ｆ１／ｆ４＜１．２  ・・・（８）
を満たしている。（８）式を満たすことで、小型軽量化と高い光学性能の両立を達成している。（８）式の上限が満たされないと、第４レンズ群の屈折力が相対的に強くなるため、変倍による球面収差やコマ収差の変動を抑制することが困難となる。（８）式の下限が満たされないと、第４レンズ群の屈折力が相対的に弱くなるため、変倍における第４レンズ群の移動量が大きくなるため、小型軽量化が困難となる。更に好ましくは、（８）式は次の如く設定するのが良い。
０．４５＜ｆ１／ｆ４＜１．１５  ・・・（８ａ）
【００２７】
さらに、本発明の撮像装置は、各実施例のズームレンズとズームレンズによって形成された像を受光する所定の有効撮像範囲を有する固体撮像素子を有することを特徴とする。
【００２８】
以下に本発明のズームレンズの具体的な構成について、実施例１〜７に対応する数値実施例１〜７のレンズ構成の特徴により説明する。
【実施例１】
【００２９】
図１は本発明の実施例１（数値実施例１）であるズームレンズにおいて、広角端で無限遠に合焦しているときのレンズ断面図である。図２において、（ａ）は数値実施例１の広角端、（ｂ）は数値実施例１の焦点距離２２．１４ｍｍ、（ｃ）は数値実施例１の望遠端の縦収差図を示している。いずれの収差図も、無限遠に合焦しているときの縦収差図である。また、焦点距離の値は、後述する数値実施例をｍｍ単位で表したときの値である。これは以下の数値実施例においても、全て同じである。
【００３０】
図１において、物体側から像側へ順に、合焦用の負の屈折力を有する第１レンズ群Ｕ１を有している。さらに、広角端から望遠端への変倍に際して、物体側へ移動する変倍用の正の屈折力を有する第２レンズ群Ｕ２、物体側へ移動する正の屈折力を有する第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力を有する第４レンズ群Ｕ４を有している。さらに、変倍のためには移動しない結像作用をする正の屈折力を有する第５レンズ群Ｕ５を有している。ＳＰは開口絞りであり、第５レンズ群Ｕ５の最も物体側に配置されている。また、開口絞りは変倍に際して光軸方向に不動である。中レンズ群は第３レンズ群と第４レンズ群、最終レンズ群は第５レンズ群に相当する。Ｉは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００３１】
縦収差図において、球面収差における直線と二点鎖線は各々ｅ線、ｇ線である。非点収差における点線と実線は各々メリディオナル像面、サジタル像面であり、倍率色収差における二点鎖線はｇ線である。ωは半画角、ＦｎｏはＦナンバーである。縦収差図では、球面収差は０．４ｍｍ、非点収差は０．４ｍｍ、歪曲は１０％、倍率色収差は０．１ｍｍのスケールで描かれている。なお、以下の各実施例において広角端と望遠端は、変倍用の第２レンズ群Ｕ２が機構に対して光軸上を移動可能な範囲の両端に位置したときのズーム位置を指す。
【００３２】
次に、本実施例における第１レンズ群Ｕ１について説明する。第１レンズ群Ｕ１は第１面から第１２面に対応する。第１レンズ群Ｕ１は、合焦時に移動しない負の屈折力を有する第１１レンズ群Ｕ１１、無限遠側から至近側への合焦時に像側へ移動する正の屈折力を有する第１２レンズ群Ｕ１２から構成される。第２レンズ群Ｕ２は、第１３面から第１７面に、第３レンズ群Ｕ３は、第１８面から第１９面に、第４レンズ群Ｕ４は、第２０面から第２４面に対応している。第５レンズ群Ｕ５は、第２５面から第３６面に対応する。第１レンズ群Ｕ１は、凸レンズと凹レンズを含み、全体として６個のレンズから成っている。第２レンズ群Ｕ２は、凸レンズと凹レンズを含み全体として３個のレンズ、第３レンズ群Ｕ３は、１個の凸レンズ、第４レンズ群Ｕ４は、凸レンズと凹レンズを含み全体として３個のレンズから成っている。また、第５レンズ群Ｕ５は、凸レンズと凹レンズを含み全体として７個のレンズから成っている。
【００３３】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉ、θｇＦｉは、第ｉ番目の面と第ｉ＋１番目の面との間の媒質（光学部材）の屈折率、アッベ数、部分分散比を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０−Ｚ」を意味する。
【数１】
0006702797.tif 000002
【００３４】
本実施例の各条件式対応値を表１に示す。本実施例は（１）〜（３）、（５）、（７）、（８）式を満足しており、広角端における撮影画角（画角）９６．０°、変倍比２．５と広角化且つ高倍率の両立を達成している。且つズーム全域において諸収差を良好に補正した高い光学性能と小型軽量化を両立したズームレンズを達成している。また、第５レンズ群Ｕ５の最も物体側に開口絞りを配置することにより、変倍に応じて絞り径を変化させることなく、所望のFナンバーを達成し、マニュアル絞りに最適なズームレンズを実現している。しかしながら、本発明のズームレンズは、（１）、（２）式を満足することは必須であるが、（３）〜（８）式については満足していなくても構わない。但し、（３）〜（８）式について少なくとも１つでも満足していれば更に良い効果を奏することができる。これは他の実施例についても同様である。
【００３５】
図１７は各実施例のズームレンズを撮影光学系として用いた撮像装置（テレビカメラシステム）の概略図である。図１８において１０１は実施例１〜８のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用の第４レンズ群Ｒを有している。第１レンズ群Ｆは合焦用レンズ群が含まれている。変倍部ＬＺはズーミングのために光軸上を移動する第２レンズ群と、ズーミングに伴う像面変動を補正するために光軸上を移動する第３レンズ群が含まれている。ＳＰは開口絞りである。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００３６】
このように、本発明のズームレンズをテレビカメラに適用することにより、高い光学性能を有する撮像装置を実現している。
【実施例２】
【００３７】
図３は本発明の実施例２（数値実施例２）であるズームレンズにおいて、広角端で無限遠に合焦しているときのレンズ断面図である。図４において、（ａ）は数値実施例２の広角端、（ｂ）は数値実施例２の焦点距離１４．０７ｍｍ、（ｃ）は数値実施例２の望遠端の縦収差図を示している。いずれの収差図も、無限遠に合焦しているときの縦収差図である。
【００３８】
図３において、物体側から順に、合焦用の負の屈折力を有する第１レンズ群Ｕ１を有している。さらに、広角端から望遠端への変倍に際して、物体側へ移動する変倍用の正の屈折力を有する第２レンズ群Ｕ２、物体側へ移動する正の屈折力を有する第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力を有する第４レンズ群Ｕ４を有している。さらに、変倍のためには移動しない結像作用をする正の屈折力を有する第５レンズ群Ｕ５を有している。ＳＰは開口絞りであり、第５レンズ群Ｕ５の最も物体側に配置されている。また、開口絞りは変倍に際して光軸方向に不動である。中レンズ群は第３レンズ群と第４レンズ群、最終レンズ群は第５レンズ群に相当する。
【００３９】
次に、本実施例における第１レンズ群Ｕ１について説明する。第１レンズ群Ｕ１は第１面から第１３面に対応する。第１レンズ群Ｕ１は、合焦時に移動しない負の屈折力を有する第１１レンズ群Ｕ１１、無限遠側から至近側への合焦時に像側へ移動する正の屈折力を有する第１２レンズ群Ｕ１２から構成される。第２レンズ群Ｕ２は、第１４面から第１８面に、第３レンズ群Ｕ３は、第１９面から第２０面に、第４レンズ群Ｕ４は、第２１面から第２５面に対応している。第５レンズ群Ｕ５は、第２６面から第３９面に対応する。第１レンズ群Ｕ１は、凸レンズと凹レンズを含み、全体として７個のレンズから成っている。第２レンズ群Ｕ２は、凸レンズと凹レンズを含み全体として３個のレンズ、第３レンズ群Ｕ３は、１個の凸レンズ、第４レンズ群Ｕ４は、凸レンズと凹レンズを含み全体として３個のレンズから成っている。また、第５レンズ群Ｕ５は、凸レンズと凹レンズを含み全体として８個のレンズから成っている。
【００４０】
本実施例の各条件式対応値を表１に示す。本実施例は（１）〜（３）、（５）、（７）、（８）広角端における撮影画角（画角）１２０．０°、変倍比２．４４と広角化且つ高倍率の両立を達成している。且つズーム全域において諸収差を良好に補正した高い光学性能と小型軽量化を両立したズームレンズを達成している。また、第５レンズ群Ｕ５の最も物体側に開口絞りを配置することにより、変倍に応じて絞り径を変化させることなく、所望のFナンバーを達成し、マニュアル絞りに最適なズームレンズを実現している。
【実施例３】
【００４１】
図５は本発明の実施例３（数値実施例３）であるズームレンズにおいて、広角端で無限遠に合焦しているときのレンズ断面図である。図６において、（ａ）は数値実施例３の広角端、（ｂ）は数値実施例３の焦点距離１９．１７ｍｍ、（ｃ）は数値実施例３の望遠端の縦収差図を示している。いずれの収差図も、無限遠に合焦しているときの縦収差図である。
【００４２】
図７において、物体側から順に、合焦用の負の屈折力を有する第１レンズ群Ｕ１を有している。さらに、広角端から望遠端への変倍に際して、物体側へ移動する変倍用の正の屈折力を有する第２レンズ群Ｕ２、物体側へ移動する正の屈折力を有する第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力を有する第４レンズ群Ｕ４を有している。さらに、変倍のためには移動しない結像作用をする正の屈折力を有する第５レンズ群Ｕ５を有している。ＳＰは開口絞りであり、第５レンズ群Ｕ５の最も物体側に配置されている。また、開口絞りは変倍に際して光軸方向に不動である。中レンズ群は第３レンズ群と第４レンズ群、最終レンズ群は第５レンズ群に相当する。
【００４３】
次に、本実施例における第１レンズ群Ｕ１について説明する。第１レンズ群Ｕ１は第１面から第１１面に対応する。第１レンズ群Ｕ１は、合焦時に移動しない負の屈折力を有する第１１レンズ群Ｕ１１、無限遠側から至近側への合焦時に像側へ移動する正の屈折力を有する第１２レンズ群Ｕ１２から構成される。第２レンズ群Ｕ２は、第１２面から第１６面に、第３レンズ群Ｕ３は、第１７面から第１８面に、第４レンズ群Ｕ４は、第１９面から第２３面に対応している。第５レンズ群Ｕ５は、第２４面から第３５面に対応する。第１レンズ群Ｕ１は、凸レンズと凹レンズを含み、全体として６個のレンズから成っている。第２レンズ群Ｕ２は、凸レンズと凹レンズを含み全体として３個のレンズ、第３レンズ群Ｕ３は、１個の凸レンズ、第４レンズ群Ｕ４は、凸レンズと凹レンズを含み全体として３個のレンズから成っている。また、第５レンズ群Ｕ５は、凸レンズと凹レンズを含み全体として７個のレンズから成っている。
【００４４】
本実施例の各条件式対応値を表１に示す。本実施例は（１）〜（３）、（５）、（７）、（８）式を満足しており、広角端における撮影画角（画角）１１１．９°、変倍比３．３３と広角化且つ高倍率の両立を達成している。且つズーム全域において諸収差を良好に補正した高い光学性能と小型軽量化を両立したズームレンズを達成している。また、第５レンズ群Ｕ５の最も物体側に開口絞りを配置することにより、変倍に応じて絞り径を変化させることなく、所望のFナンバーを達成し、マニュアル絞りに最適なズームレンズを実現している。
【実施例４】
【００４５】
図７は本発明の実施例４（数値実施例４）であるズームレンズにおいて、広角端で無限遠に合焦しているときのレンズ断面図である。図８において、（ａ）は数値実施例４の広角端、（ｂ）は数値実施例４の焦点距離１８．９７ｍｍ、（ｃ）は数値実施例４の望遠端の縦収差図を示している。いずれの収差図も、無限遠に合焦しているときの縦収差図である。
【００４６】
図７において、物体側から順に、合焦用の負の屈折力を有する第１レンズ群Ｕ１を有している。さらに、広角端から望遠端への変倍に際して、物体側へ移動する変倍用の正の屈折力を有する第２レンズ群Ｕ２、物体側へ移動する正の屈折力を有する第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力を有する第４レンズ群Ｕ４を有している。さらに、変倍のためには移動しない結像作用をする正の屈折力を有する第５レンズ群Ｕ５を有している。ＳＰは開口絞りであり、第５レンズ群Ｕ５の最も物体側に配置されている。また、開口絞りは変倍に際して光軸方向に不動である。中レンズ群は第３レンズ群と第４レンズ群、最終レンズ群は第５レンズ群に相当する。
【００４７】
次に、本実施例における第１レンズ群Ｕ１について説明する。第１レンズ群Ｕ１は第１面から第１４面に対応する。第１レンズ群Ｕ１は、合焦時に移動しない負の屈折力を有する第１１レンズ群Ｕ１１、無限遠側から至近側への合焦時に物体側へ移動する負の屈折力を有する第１２レンズ群Ｕ１２、合焦時に移動しない正の屈折力を有する第１３レンズ群Ｕ１３から構成される。第２レンズ群Ｕ２は、第１５面から第１７面に、第３レンズ群Ｕ３は、第１８面から第２２面に、第４レンズ群Ｕ４は、第２３面から第２６面に対応している。第５レンズ群Ｕ５は、第２７面から第３８面に対応する。第１レンズ群Ｕ１は、凸レンズと凹レンズを含み、全体として７個のレンズから成っている。第２レンズ群Ｕ２は、凸レンズと凹レンズを含み全体として２個のレンズ、第３レンズ群Ｕ３は、凸レンズと凹レンズを含み全体として３個のレンズ、第４レンズ群Ｕ４は、凸レンズと凹レンズを含み全体として３個のレンズから成っている。また、第５レンズ群Ｕ５は、凸レンズと凹レンズを含み全体として７個のレンズから成っている。
【００４８】
本実施例の各条件式対応値を表１に示す。本実施例は（１）、（２）、（４）、（５）、（７）、（８）式を満足しており、広角端における撮影画角（画角）１０１．９°、変倍比２．５０と広角化且つ高倍率の両立を達成している。且つズーム全域において諸収差を良好に補正した高い光学性能と小型軽量化を両立したズームレンズを達成している。また、第５レンズ群Ｕ５の最も物体側に開口絞りを配置することにより、変倍に応じて絞り径を変化させることなく、所望のFナンバーを達成し、マニュアル絞りに最適なズームレンズを実現している。
【実施例５】
【００４９】
図９は本発明の実施例５（数値実施例５）であるズームレンズにおいて、広角端で無限遠に合焦しているときのレンズ断面図である。図９において、（ａ）は数値実施例５の広角端、（ｂ）は数値実施例５の焦点距離４０ｍｍ、（ｃ）は数値実施例５の望遠端の縦収差図を示している。いずれの収差図も、無限遠に合焦しているときの縦収差図である。
【００５０】
図９において、物体側から順に、合焦用の負の屈折力を有する第１レンズ群Ｕ１を有している。さらに、広角端から望遠端への変倍に際して、物体側へ移動する変倍用の正の屈折力を有する第２レンズ群Ｕ２、物体側へ移動する正の屈折力を有する第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力を有する第４レンズ群Ｕ４を有している。さらに、変倍のためには移動しない結像作用をする正の屈折力を有する第５レンズ群Ｕ５を有している。ＳＰは開口絞りであり、第５レンズ群Ｕ５の最も物体側に配置されている。また、開口絞りは変倍に際して光軸方向に不動である。中レンズ群は第３レンズ群と第４レンズ群、最終レンズ群は第５レンズ群に相当する。
【００５１】
次に、本実施例における第１レンズ群Ｕ１について説明する。第１レンズ群Ｕ１は第１面から第１０面に対応する。第１レンズ群Ｕ１は、合焦時に移動しない負の屈折力を有する第１１レンズ群Ｕ１１、無限遠側から至近側への合焦時に像側へ移動する正の屈折力を有する第１２レンズ群Ｕ１２から構成される。第２レンズ群Ｕ２は、第１１面から第１３面に、第３レンズ群Ｕ３は、第１４面から第１５面に、第４レンズ群Ｕ４は、第１６面から第１８面に対応している。第５レンズ群Ｕ５は、第１９面から第２７面に対応する。第１レンズ群Ｕ１は、凸レンズと凹レンズを含み、全体として５個のレンズから成っている。第２レンズ群Ｕ２は、凸レンズと凹レンズを含み全体として２個のレンズ、第３レンズ群Ｕ３は、１個の凸レンズ、第４レンズ群Ｕ４は、凸レンズと凹レンズを含み全体として２個のレンズから成っている。また、第５レンズ群Ｕ５は、凸レンズと凹レンズを含み全体として５個のレンズから成っている。
【００５２】
本実施例の各条件式対応値を表１に示す。本実施例は（１）〜（３）、（５）、（７）、（８）式を満足しており、広角端における撮影画角（画角）８１．６°、変倍比４．４４と広角化且つ高倍率の両立を達成している。且つズーム全域において諸収差を良好に補正した高い光学性能と小型軽量化を両立したズームレンズを達成している。また、第５レンズ群Ｕ５の最も物体側に開口絞りを配置することにより、変倍に応じて絞り径を変化させることなく、所望のFナンバーを達成し、マニュアル絞りに最適なズームレンズを実現している。
【実施例６】
【００５３】
図１１は本発明の実施例６（数値実施例６）であるズームレンズにおいて、広角端で無限遠に合焦しているときのレンズ断面図である。図１１において、（ａ）は数値実施例６の広角端、（ｂ）は数値実施例６の焦点距離４０ｍｍ、（ｃ）は数値実施例６の望遠端の縦収差図を示している。いずれの収差図も、無限遠に合焦しているときの縦収差図である。
【００５４】
図１１において、物体側から順に、合焦用の負の屈折力を有する第１レンズ群Ｕ１を有している。さらに、広角端から望遠端への変倍に際して、物体側へ移動する変倍用の正の屈折力を有する第２レンズ群Ｕ２、物体側へ移動する正の屈折力を有する第３レンズ群Ｕ３を有している。さらに、変倍のためには移動しない負の屈折力を有する第４レンズ群Ｕ４、第２レンズ群Ｕ２、第３レンズ群Ｕ３の移動に連動して光軸上を非直線的に移動し、変倍に伴う像面変動を補正する正の屈折力を有する第５レンズ群Ｕ５を有している。さらに、変倍のためには移動しない結像作用をする負の屈折力を有する第６レンズ群Ｕ６を有している。ＳＰは開口絞りであり、第６レンズ群Ｕ６の最も物体側に配置されている。また、開口絞りは変倍に際して光軸方向に不動である。中レンズ群は第３レンズ群〜第５レンズ群、最終レンズ群は第６レンズ群に相当する。
【００５５】
次に、本実施例における第１レンズ群Ｕ１について説明する。第１レンズ群Ｕ１は第１面から第８面に対応する。第１レンズ群Ｕ１は、合焦時に移動しない負の屈折力を有する第１１レンズ群Ｕ１１、無限遠側から至近側への合焦時に物体側へ移動する負の屈折力を有する第１２レンズ群Ｕ１２から構成される。第２レンズ群Ｕ２は、第９面から第１１面に、第３レンズ群Ｕ３は、第１２面から第１５面に、第４レンズ群Ｕ４は、第１６面から第１８面に対応している。第５レンズ群Ｕ５は、第１９面から第２１面、第６レンズ群Ｕ６は、第２２面から第３０面に対応する。第１レンズ群Ｕ１は、凸レンズと凹レンズを含み、全体として４個のレンズから成っている。第２レンズ群Ｕ２から第５レンズ群Ｕ５の各レンズ群は、凸レンズと凹レンズを含み全体として２個のレンズから成っている。また、第６レンズ群Ｕ６は、凸レンズと凹レンズを含み全体として５個のレンズから成っている。
【００５６】
本実施例の各条件式対応値を表１に示す。本実施例は（１）〜（３）、（５）式を満足しており、広角端における撮影画角（画角）８１．６°、変倍比４．１７と広角化且つ高倍率の両立を達成している。且つズーム全域において諸収差を良好に補正した高い光学性能と小型軽量化を両立したズームレンズを達成している。また、第６レンズ群Ｕ６の最も物体側に開口絞りを配置することにより、変倍に応じて絞り径を変化させることなく、所望のFナンバーを達成し、マニュアル絞りに最適なズームレンズを実現している。
【実施例７】
【００５７】
図１３は本発明の実施例７（数値実施例７）であるズームレンズにおいて、広角端で無限遠に合焦しているときのレンズ断面図である。図１３において、（ａ）は数値実施例７の広角端、（ｂ）は数値実施例７の焦点距離１９ｍｍ、（ｃ）は数値実施例７の望遠端の縦収差図を示している。いずれの収差図も、無限遠に合焦しているときの縦収差図である。
【００５８】
図１３において、物体側から順に、合焦用の負の屈折力を有する第１レンズ群Ｕ１を有している。さらに、広角端から望遠端への変倍に際して、物体側へ移動する変倍用の正の屈折力を有する第２レンズ群Ｕ２、像側へ移動する負の屈折力を有する第３レンズ群Ｕ３を有している。さらに、第２レンズ群Ｕ２、第３レンズ群Ｕ３の移動に連動して光軸上を非直線的に移動し、変倍に伴う像面変動を補正する正の屈折力を有する第４レンズ群Ｕ４を有している。さらに、変倍のためには移動しない結像作用をする正の屈折力を有する第５レンズ群Ｕ５を有している。ＳＰは開口絞りであり、第５レンズ群Ｕ５の中に配置されている。また、開口絞りは変倍に際して光軸方向に不動である。中レンズ群は第３レンズ群、第４レンズ群、最終レンズ群は第５レンズ群に相当する。
【００５９】
次に、本実施例における第１レンズ群Ｕ１について説明する。第１レンズ群Ｕ１は第１面から第１４面に対応する。第１レンズ群Ｕ１は、合焦時に移動しない負の屈折力を有する第１１レンズ群Ｕ１１、無限遠側から至近側への合焦時に像側へ移動する正の屈折力を有する第１２レンズ群Ｕ１２から構成される。第２レンズ群Ｕ２は、第１５面から第２２面に、第３レンズ群Ｕ３は、第２３面から第２６面に、第４レンズ群Ｕ４は、第２７面から第２８面に対応している。第５レンズ群Ｕ５は、第２９面から第４０面に対応する。第１レンズ群Ｕ１は、凸レンズと凹レンズを含み、全体として７個のレンズから成っている。第２レンズ群Ｕ２は、凸レンズと凹レンズを含み全体として５個のレンズ、第３レンズ群Ｕ３は、凸レンズと凹レンズを含み全体として３個のレンズ、第４レンズ群Ｕ４は、１個の凸レンズから成っている。また、第５レンズ群Ｕ５は、凸レンズと凹レンズを含み全体として６個のレンズから成っている。
【００６０】
本実施例の各条件式対応値を表１に示す。本実施例は（１）〜（３）、（６）式を満足しており、広角端における撮影画角（画角）１０４．６°、変倍比２．５と広角化且つ高倍率の両立を達成している。且つズーム全域において諸収差を良好に補正した高い光学性能と小型軽量化を両立したズームレンズを達成している。また、第５レンズ群Ｕ５の中に開口絞りを配置することにより、変倍に応じて絞り径を変化させることなく、所望のＦナンバーを達成し、マニュアル絞りに最適なズームレンズを実現している。
【００６１】
以上、本発明の好ましい実施形態について説明したが、本発明はこれらの実施形態に限定されず、その要旨の範囲内で種々の変形及び変更が可能である。
【００６２】
<数値実施例１>
単位 mm
面データ
面番号i      ri       di     ndi        vdi      有効径
1*        75.164    2.70   1.60311    60.6       67.00
2         25.320   18.97                         48.40
3        155.656    1.70   1.59522    67.7       44.88
4         29.128   15.49                         38.77
5        -40.283    1.50   1.59522    67.7       37.62
6       -694.681    0.19                         38.75
7         78.524    2.66   1.72047    34.7       39.58
8        105.930    1.98                         39.45
9         78.871    8.66   1.49700    81.5       39.90
10        -50.530    0.19                         39.77
11        138.615    1.71   1.77250    49.6       36.60
12         51.765  (可変)                         35.04
13         84.809    1.20   1.85478    24.8       34.44
14         41.631    7.31   1.49700    81.5       34.31
15       -158.198    0.99                         34.96
16         79.691    5.30   1.76385    48.5       36.93
17       -277.499  (可変)                         37.05
18        151.627    5.86   1.59522    67.7       36.67
19        -75.658  (可変)                         36.41
20        -56.731    0.90   1.69680    55.5       22.50
21         35.513    3.49   1.85478    24.8       22.11
22        233.045    1.11                         21.81
23        -88.493    0.90   1.77250    49.6       21.77
24         84.780  (可変)                         21.76
25(絞り)    ∞       1.49                         22.07
26         43.376    4.13   1.77250    49.6       22.66
27       -102.761   10.00                         22.41
28        -80.458    3.58   1.80809    22.8       18.30
29        -27.520    1.50   1.90366    31.3       18.62
30        -94.036    0.98                         19.19
31        175.254    1.00   1.88300    40.8       19.59
32         18.443    5.82   1.49700    81.5       19.84
33        -96.013    1.00                         20.92
34         51.136    7.51   1.49700    81.5       22.58
35        -17.878    1.28   1.85478    24.8       23.02
36*       -33.419   42.06                         24.45
像面        ∞   
非球面データ
第1面
K = 0.00000e+000  A 4= 3.13169e-006  A 6= 3.62423e-010  A 8=-4.13256e-013  A10= 4.11411e-016  A12= 8.36082e-020  
第36面
K = 0.00000e+000  A 4=-5.75442e-006  A 6=-1.11660e-008  A 8=-1.76183e-011  A10= 2.21500e-014  A12=-3.07840e-016  
各種データ
ズーム比      2.50 
広角     中間     望遠
焦点距離      14.00    22.14    35.00  
Fナンバー      2.80     2.80     2.80  
半画角        48.00    35.09    23.96  
像高          15.55    15.55    15.55  
レンズ全長   219.00   219.00   219.00  
BF            42.06    42.06    42.06  
d12           31.88    16.40     4.19  
d17            1.99    15.04    21.80  
d19            1.99    11.81    27.64  
d24           19.98    12.59     2.20  
入射瞳位置    32.49    35.23    39.36  
射出瞳位置   -40.00   -40.00   -40.00  
前側主点位置  44.10    51.39    59.43  
後側主点位置  28.06    19.92     7.06  
ズームレンズ群データ
群  始面    焦点距離  レンズ構成長  前側主点位置  後側主点位置
1    1     -22.42        55.76        13.19        -31.45
2   13      60.10        14.80         6.04         -3.63
3   18      85.32         5.86         2.47         -1.23
4   20     -33.20         6.40         2.46         -1.46
5   25      43.74        38.30        11.72        -23.99
【００６３】
<数値実施例２>
単位 mm
面データ
面番号i      ri       di     ndi        vdi      有効径
1*       287.303    2.70   1.76385    48.5       81.72
2         31.984   15.50                         58.78
3*        60.519    1.80   1.76385    48.5       55.14
4         23.611   10.70                         41.51
5         89.099    1.25   1.59522    67.7       41.09
6         49.248    7.36                         39.51
7        -81.670    1.25   1.53775    74.7       39.23
8         37.263    4.51   1.85478    24.8       38.99
9         67.024    1.43                         38.61
10         66.566    9.62   1.49700    81.5       38.80
11        -45.278    0.15                         38.52
12        326.882    1.40   2.00100    29.1       34.85
13         61.213  (可変)                         33.51
14         56.327    1.00   1.85478    24.8       34.66
15         33.093    8.03   1.49700    81.5       34.38
16       -218.823    0.15                         34.85
17*        93.307    5.11   1.77250    49.6       35.31
18       -128.805  (可変)                         35.30
19      11610.358    5.75   1.59349    67.0       31.59
20        -39.722  (可変)                         31.66
21        -56.461    0.80   1.88300    40.8       18.74
22         17.384    4.83   1.85478    24.8       18.32
23       -109.985    0.86                         18.17
24        -33.672    0.80   1.88300    40.8       18.17
25       1473.319  (可変)                         18.40
26(絞り)    ∞       1.43                         18.72
27         42.364    3.56   1.77250    49.6       19.27
28        -93.033    5.45                         19.10
29         84.696    0.80   2.00100    29.1       17.08
30         20.229    4.00   1.80518    25.4       16.53
31       -118.228    2.19                         16.15
32        484.011    0.80   1.88300    40.8       14.95
33         14.438    3.51   1.49700    81.5       14.33
34         44.105    1.11                         15.51
35         27.191    7.02   1.43875    94.9       17.53
36        -13.864    0.80   2.00069    25.5       18.40
37        -42.929    0.15                         20.69
38       -125.920    4.83   1.77250    49.6       21.68
39        -20.810   39.88                         22.87
像面        ∞   
非球面データ
第1面
K = 1.26950e+001  A 4= 7.98800e-006  A 6=-6.57602e-009  A 8= 5.04249e-012  A10=-2.30700e-015  A12= 5.06732e-019  
第3面
K = 3.94166e-001  A 4=-5.96572e-006  A 6= 5.42546e-009  A 8= 5.61957e-012  A10=-1.53212e-014  A12= 8.06629e-018  
第17面
K =-4.12377e+000  A 4=-1.10688e-006  A 6=-8.00313e-010  A 8=-3.10207e-012  
各種データ
ズーム比      2.44 
広角     中間     望遠
焦点距離       9.00    14.07    22.00  
Fナンバー      2.80     2.80     2.80  
半画角        59.94    47.86    35.26  
像高          15.55    15.55    15.55  
レンズ全長   206.30   206.30   206.30  
BF            39.88    39.88    39.88  
d13           27.48    13.77     4.26  
d18            2.55    12.06    17.42  
d20            1.61    10.15    22.76  
d25           14.16     9.81     1.35  
入射瞳位置    25.01    26.37    28.25  
射出瞳位置   -49.98   -49.98   -49.98  
前側主点位置  33.11    38.24    44.86  
後側主点位置  30.88    25.81    17.88  
ズームレンズ群データ
群  始面    焦点距離  レンズ構成長  前側主点位置  後側主点位置
1    1     -13.76        57.67        12.64        -28.07
2   14      49.45        14.30         5.49         -3.71
3   19      66.48         5.75         3.59         -0.01
4   21     -26.65         7.28         2.16         -1.99
5   26      38.69        35.63        16.92        -19.90
【００６４】
<数値実施例３>
単位 mm
面データ
面番号i      ri       di     ndi        vdi      有効径
1*       635.351    2.70   1.76385    48.5       81.48
2         37.645   13.38                         62.17
3*        65.786    1.80   1.76385    48.5       58.06
4         26.359   17.20                         44.87
5        -67.137    1.25   1.53775    74.7       44.57
6         39.279    6.03   1.80000    29.8       44.95
7         88.105    1.32                         44.62
8         75.909   10.48   1.49700    81.5       44.82
9        -55.299    0.15                         44.49
10        267.530    1.40   1.95375    32.3       40.37
11         66.549  (可変)                         38.83
12        111.730    1.00   1.85478    24.8       38.00
13         46.553    8.03   1.49700    81.5       37.83
14       -116.060    0.15                         38.20
15*        82.727    5.84   1.76385    48.5       38.45
16       -147.152  (可変)                         38.08
17       -237.826    4.49   1.59349    67.0       31.30
18        -48.626  (可変)                         31.28
19        -68.749    0.80   1.88300    40.8       20.53
20         20.988    4.87   1.85478    24.8       20.18
21       -118.798    0.89                         20.04
22        -39.129    0.80   1.88300    40.8       20.04
23        464.892  (可変)                         20.27
24(絞り)    ∞       1.41                         22.56
25         38.435    4.21   1.77250    49.6       23.32
26       -155.783   11.68                         23.03
27         77.374    3.83   1.75520    27.5       18.14
28        -31.781    0.80   2.00100    29.1       17.48
29         26.506    1.21                         17.69
30         24.512    0.80   1.88300    40.8       19.67
31         18.690    6.11   1.49700    81.5       19.75
32        -53.118    5.70                         20.70
33         38.724    6.48   1.43875    94.9       24.47
34        -31.488    0.80   2.00100    29.1       24.63
35        -53.868   38.87                         25.16
像面        ∞   
非球面データ
第1面
K =-5.93998e+002  A 4= 7.72789e-006  A 6=-6.14283e-009  A 8= 4.43506e-012  A10=-1.93389e-015  A12= 4.10784e-019  
第3面
K =-3.49710e-001  A 4=-4.95136e-006  A 6= 1.73291e-009  A 8= 7.27859e-012  A10=-1.18345e-014  A12= 5.14306e-018  
第15面
K =-8.12671e-001  A 4=-3.54186e-007  A 6=-2.69286e-010  A 8=-5.05059e-013  
各種データ
ズーム比      3.33 
広角     中間     望遠
焦点距離      10.50    19.17    34.99  
Fナンバー      2.80     2.80     3.69  
半画角        55.97    39.05    23.96  
像高          15.55    15.55    15.55  
レンズ全長   228.87   228.87   228.87  
BF            38.87    38.87    38.87  
d11           39.11    18.72     6.03  
d16            1.72    16.15    21.32  
d18            1.65    14.40    35.63  
d23           21.94    15.14     1.43  
入射瞳位置    27.31    30.21    34.88  
射出瞳位置   -49.98   -49.98   -49.98  
前側主点位置  36.57    45.25    56.10  
後側主点位置  28.37    19.70     3.88  
ズームレンズ群データ
群  始面    焦点距離  レンズ構成長  前側主点位置  後側主点位置
1    1     -18.78        55.71        10.86        -29.93
2   12      54.33        15.01         6.79         -2.65
3   17     101.72         4.49         3.50          0.72
4   19     -30.89         7.36         2.33         -1.89
5   24      43.11        43.02        13.41        -30.51
【００６５】
<数値実施例４>
単位 mm
面データ
面番号i      ri       di     ndi        vdi      有効径
1*       292.496    3.00   1.60311    60.6       79.68
2         27.771   16.00                         52.90
3         58.575    2.40   1.59522    67.7       50.18
4         30.555    8.61                         43.73
5         67.617    2.40   1.59522    67.7       42.02
6         37.202   13.52                         39.10
7        -36.490    1.50   1.59522    67.7       38.31
8       -265.008    0.19                         39.98
9        103.383    3.22   1.72047    34.7       41.00
10        259.506    1.94                         41.04
11        121.921    8.51   1.51742    52.4       41.49
12        -47.659    0.17                         41.45
13        283.046    1.71   1.77250    49.6       38.15
14         60.253  (可変)                         36.63
15         79.660    1.20   1.83400    37.2       35.71
16         41.204    8.09   1.59522    67.7       35.58
17       -107.224  (可変)                         35.84
18         91.474    6.21   1.49700    81.5       38.30
19        -88.777    1.70   1.85478    24.8       38.35
20       -217.982    0.20                         38.67
21         73.547    6.94   1.48749    70.2       38.84
22       -102.895  (可変)                         38.47
23        -54.336    1.00   1.88300    40.8       22.20
24         40.367    4.79   1.85478    24.8       22.14
25        -48.877    1.00   1.88300    40.8       22.12
26         96.959  (可変)                         22.11
27(絞り)    ∞       3.02                         22.43
28         49.195    4.50   1.77250    49.6       23.32
29       -114.490   10.01                         23.06
30       -273.857    1.50   1.90366    31.3       19.47
31         40.627    3.43   1.80809    22.8       19.07
32       -169.549    0.19                         19.27
33        145.224    1.00   1.88300    40.8       19.44
34         19.093    5.56   1.49700    81.5       19.62
35        -95.418    1.00                         20.55
36         61.714    7.44   1.49700    81.5       21.84
37        -17.916    1.28   1.85478    24.8       22.36
38*       -34.369   45.32                         23.69
像面        ∞   
非球面データ
第1面
K = 4.34647e+001  A 4= 4.29705e-006  A 6=-1.95019e-009  A 8= 5.42308e-013  A10= 1.09740e-016  A12=-7.43557e-020  
第38面
K = 0.00000e+000  A 4=-6.09047e-006  A 6=-1.78926e-008  A 8= 9.11734e-011  A10=-6.90669e-013  A12= 1.51742e-015  
各種データ
ズーム比      2.50 
広角     中間     望遠
焦点距離      12.00    18.97    30.00  
Fナンバー      2.80     2.80     2.80  
半画角        50.96    37.96    26.26  
像高          14.80    14.80    14.80  
レンズ全長   232.70   232.70   232.70  
BF            45.32    45.32    45.32  
d14           30.22    12.43     2.03  
d17            1.97     8.53    11.95  
d22            1.89    18.58    38.09  
d26           20.08    14.61     2.09  
入射瞳位置    29.65    31.99    35.01  
射出瞳位置   -39.99   -39.99   -39.99  
前側主点位置  39.96    46.74    54.46  
後側主点位置  33.32    26.34    15.32  
ズームレンズ群データ
群  始面    焦点距離  レンズ構成長  前側主点位置  後側主点位置
1    1     -18.88        63.17        12.89        -35.37
2   15      98.98         9.29         2.79         -3.04
3   18      61.88        15.05         5.23         -4.94
4   23     -36.71         6.79         1.29         -2.26
5   27      44.57        38.92        12.73        -22.16
【００６６】
<数値実施例５>
単位 mm
面データ
面番号i      ri       di     ndi        vdi      有効径
1*       152.831    2.70   1.77250    49.6       65.19
2         30.643   17.40                         50.62
3       -106.326    1.60   1.59522    67.7       50.05
4         52.832    0.20                         48.64
5         49.415    5.92   1.85478    24.8       48.97
6        103.219    3.14                         48.28
7        152.113    7.15   1.51633    64.1       47.94
8        -89.878    0.17                         47.50
9      -1264.119    1.50   1.80610    40.9       45.42
10        133.896  (可変)                         44.24
11        109.702    1.50   1.85478    24.8       45.42
12         58.954   10.15   1.53775    74.7       45.20
13        -85.054  (可変)                         45.46
14*        64.664    8.16   1.49700    81.5       45.34
15*      -156.526  (可変)                         44.83
16        -47.610    0.90   1.77250    49.6       19.09
17         31.184    3.05   1.80809    22.8       19.14
18        109.235  (可変)                         19.15
19(絞り)    ∞       1.47                         19.38
20         24.085    5.79   1.48749    70.2       19.92
21        -31.165    0.90   1.88300    40.8       19.51
22        -56.403    6.00                         19.49
23         31.758    0.90   1.88300    40.8       16.73
24         18.669    3.96   1.43875    94.9       16.04
25       -203.112   11.44                         15.46
26        -16.218    0.80   1.77250    49.6       15.24
27        -24.480   42.99                         15.89
像面        ∞   
非球面データ
第1面
K = 0.00000e+000  A 4= 1.81649e-006  A 6=-4.09455e-011  A 8=-5.99215e-013  A10= 6.41193e-016  A12=-2.08385e-019  
第14面
K = 0.00000e+000  A 4=-8.62362e-007  A 6= 1.25171e-009  A 8=-3.36368e-012  A10= 4.47009e-015  A12=-1.06790e-018  
第15面
K = 0.00000e+000  A 4=-7.88592e-007  A 6= 1.66338e-009  A 8=-4.52285e-012  A10= 7.05505e-015  A12=-2.99173e-018  
各種データ
ズーム比      4.44 
広角     中間     望遠
焦点距離      18.00    40.00    80.00  
Fナンバー      4.13     4.13     4.13  
半画角        40.82    21.24    11.00  
像高          15.55    15.55    15.55  
レンズ全長   238.31   238.31   238.31  
BF            42.99    42.99    42.99  
d10           64.50    23.77    10.89  
d13            1.47    10.86     5.97  
d15            2.42    41.26    81.78  
d18           32.11    24.61     1.86  
入射瞳位置    35.48    49.60    71.68  
射出瞳位置   -20.30   -20.30   -20.30  
前側主点位置  48.37    64.32    50.56  
後側主点位置  24.99     2.99   -37.00  
ズームレンズ群データ
群  始面    焦点距離  レンズ構成長  前側主点位置  後側主点位置
1    1     -36.43        39.79         5.83        -24.56
2   11     116.06        11.65         4.95         -2.58
3   14      92.94         8.16         1.61         -3.90
4   16     -44.00         3.95         0.69         -1.47
5   19      45.46        31.27       -10.95        -29.12
【００６７】
<数値実施例６>
単位 mm
面データ
面番号i      ri       di     ndi        vdi      有効径
1*        67.983    2.70   1.69680    55.5       66.64
2         27.111   16.30                         51.03
3         99.354    1.80   1.48749    70.2       49.69
4         61.225   16.32                         47.13
5        -60.402    1.80   1.69680    55.5       41.37
6        177.264    6.15                         40.82
7        229.508    3.29   2.00069    25.5       41.44
8       -424.453  (可変)                         41.97
9*       116.015    9.34   1.58913    61.1       43.88
10        -45.548    1.50   1.85478    24.8       44.19
11        -62.414  (可変)                         45.11
12         73.239    1.50   1.85478    24.8       42.99
13         43.605    0.20                         41.80
14         44.292    8.94   1.59522    67.7       41.84
15       -107.079  (可変)                         41.51
16        -39.413    0.80   1.77250    49.6       23.58
17         23.512    3.32   1.84666    23.8       23.92
18         66.960  (可変)                         23.93
19         59.385    6.68   1.59522    67.7       24.32
20        -21.542    1.00   2.00069    25.5       24.39
21        -30.830  (可変)                         25.04
22(絞り)    ∞       1.50                         19.04
23         26.074    0.80   1.88300    40.8       18.15
24         14.433    3.47   1.71736    29.5       17.17
25         31.777    9.17                         16.46
26         70.256    0.80   1.83400    37.2       14.21
27         24.353    4.72   1.43875    94.9       14.26
28        -56.457    1.21                         14.94
29        -34.460    0.90   1.85478    24.8       15.11
30        -51.671   48.64                         15.47
像面        ∞   
非球面データ
第1面
K = 1.85387e+000  A 4= 1.68187e-006  A 6=-4.30359e-012  A 8=-5.10776e-014  A10= 6.92020e-017  A12= 1.64138e-019  
第9面
K =-1.01143e+002  A 4= 6.99804e-006  A 6=-2.58924e-008  A 8= 8.45204e-011  A10=-2.08114e-013  A12= 3.37066e-016  A14=-3.12808e-019  A16= 1.25068e-022  
各種データ
ズーム比      4.17 
広角     中間     望遠
焦点距離      18.00    40.00    74.99  
Fナンバー      3.99     4.00     4.00  
半画角        40.82    21.24    11.71  
像高          15.55    15.55    15.55  
レンズ全長   234.71   234.71   234.71  
BF            48.64    48.64    48.64  
d 8           59.04    18.66     1.50  
d11            1.12    24.81    16.31  
d15            1.90    18.59    44.26  
d18           19.11    10.12     1.00  
d21            0.68     9.66    18.79  
入射瞳位置    38.73    48.01    71.69  
射出瞳位置   -17.25   -17.25   -17.25  
前側主点位置  51.81    63.73    61.33  
後側主点位置  30.64     8.64   -26.35  
ズームレンズ群データ
群  始面    焦点距離  レンズ構成長  前側主点位置  後側主点位置
1    1     -32.81        48.35        11.70        -29.92
2    9      78.52        10.84         4.53         -2.31
3   12      91.57        10.64         3.17         -3.58
4   16     -33.82         4.12         0.92         -1.29
5   19      43.06         7.68         3.21         -1.63
6   22    -339.62        22.58        45.25         22.68
【００６８】
<数値実施例７>
単位 mm
面データ
面番号i      ri       di     ndi        vdi      有効径
1*       320.414    3.00   1.60311    60.6       78.98
2         27.028   15.24                         51.79
3         51.222    2.40   1.49700    81.5       49.18
4         27.260    8.20                         42.19
5         60.893    2.40   1.59522    67.7       41.01
6         32.938   12.34                         37.74
7        -42.557    1.50   1.59522    67.7       37.08
8        408.428    0.18                         38.18
9         67.796    2.88   1.72047    34.7       39.07
10         96.765    1.96                         38.95
11         71.100    8.69   1.51742    52.4       39.49
12        -51.973    0.70                         39.34
13        179.754    1.71   1.83400    37.2       36.10
14         52.391  (可変)                         35.21
15         95.100    1.20   1.80100    35.0       36.20
16         34.300    9.07   1.59522    67.7       36.41
17       -148.817    0.20                         37.01
18         78.792    4.50   1.59522    67.7       37.77
19       -229.536    1.70   1.80000    29.8       37.92
20      -1016.870    0.20                         38.19
21         59.397    8.30   1.49700    81.5       38.86
22        -75.642  (可変)                         38.58
23        -54.901    1.00   1.88300    40.8       23.82
24         30.136    5.88   1.85478    24.8       23.74
25        -48.474    1.00   1.88300    40.8       23.73
26         75.303  (可変)                         23.73
27         49.976    4.30   1.76385    48.5       24.32
28        -89.707  (可変)                         24.20
29        675.544    1.40   1.48749    70.2       22.06
30       -144.123    0.50                         21.86
31(絞り)    ∞       9.30                         21.48
32        -45.268    1.00   1.90366    31.3       18.00
33         48.957    3.82   1.80809    22.8       17.96
34        -85.123    1.44                         17.97
35        158.362    1.00   1.91650    31.6       17.61
36         20.609    5.29   1.49700    81.5       18.08
37        -52.169    3.44                         19.32
38         54.374    5.91   1.49700    81.5       22.75
39        -26.763    1.20   1.85478    24.8       23.26
40*       -40.114   45.10                         23.99
像面        ∞   
非球面データ
第1面
K = 2.57611e+001  A 4= 5.28768e-006  A 6=-3.31840e-009  A 8= 2.06800e-012  A10=-7.07281e-016  A12= 1.21844e-019  
第40面
K = 0.00000e+000  A 4=-2.63603e-006  A 6=-1.85163e-008  A 8= 1.28750e-010  A10=-6.79797e-013  A12= 1.20449e-015  
各種データ
ズーム比      2.50 
広角     中間     望遠
焦点距離      12.00    19.00    30.00  
Fナンバー      2.80     2.80     2.80  
半画角        52.34    39.30    27.40  
像高          15.55    15.55    15.55  
レンズ全長   220.67   220.67   220.67  
BF            45.10    45.10    45.10  
d14           18.96     8.80     3.73  
d22            1.87    17.41    31.70  
d26           20.88    13.93     1.43  
d28            1.00     2.57     5.85  
入射瞳位置    28.73    31.11    34.34  
射出瞳位置   -40.15   -40.15   -40.15  
前側主点位置  39.04    45.87    53.78  
後側主点位置  33.10    26.10    15.10  
ズームレンズ群データ
群  始面    焦点距離  レンズ構成長  前側主点位置  後側主点位置
1    1     -17.06        61.20        13.45        -31.19
2   15      37.39        25.17         9.54         -7.22
3   23     -33.10         7.88         1.73         -2.37
4   27      42.38         4.30         0.88         -1.58
5   29     130.30        34.31        42.49         19.77
【００６９】
【表１】
0006702797.tif 000003
【符号の説明】
【００７０】
Ｕ１      第１レンズ群
Ｕ２      第２レンズ群
Ｕ３      第３レンズ群（中レンズ群）
Ｕ４      第４レンズ群（中レンズ群）
Ｕ５      第５レンズ群（実施例１〜５、７：最終レンズ群、実施例６：中レンズ群）
Ｕ６      第６レンズ群（実施例６：最終レンズ群）
ＳＰ      開口絞り
【図１】
0006702797.tif 000004
【図２】
0006702797.tif 000005
【図３】
0006702797.tif 000006
【図４】
0006702797.tif 000007
【図５】
0006702797.tif 000008
【図６】
0006702797.tif 000009
【図７】
0006702797.tif 000010
【図８】
0006702797.tif 000011
【図９】
0006702797.tif 000012
【図１０】
0006702797.tif 000013
【図１１】
0006702797.tif 000014
【図１２】
0006702797.tif 000015
【図１３】
0006702797.tif 000016
【図１４】
0006702797.tif 000017
【図１５】
0006702797.tif 000018
【図１６】
0006702797.tif 000019
【図１７】
0006702797.tif 000020